(57)【要約】      （修正有）【課題】パンツ本体をコンパクトに折り畳むことができ、持ち運びに好適なパンツを提供する。【解決手段】パンツ１は、パンツ本体２と、収納袋４と、閉口部材（フラップ５）とを備える。パンツ本体２は、着用者の両足をそれぞれ別々に包む。収納口を有する収納袋４には、折り畳んだパンツ本体２の全体が当該収納口を介して収納可能である。閉口部材は、パンツ本体２の収納時に収納口を閉口する。収納袋４は、その上縁部分がパンツ本体２内側の腰回り部分に縫着される。また、収納口は、着用時において上方に向かって、又はパンツ本体２の内方に向かって露出するように形成されている。また、収納袋４は、着用時における内面４ｉがパンツ本体２収納時に外面を構成する。【選択図】図３
0003198168.tif 000002
【実用新案登録請求の範囲】
【請求項１】
着用者の両足をそれぞれ別々に包むパンツ本体と、
収納口を有し、折り畳んだパンツ本体の全体が前記収納口を介して収納可能な収納袋と、
前記パンツ本体の収納時に前記収納口を閉口する閉口部材とを備え、
前記収納袋は、その上縁部分が前記パンツ本体内側の腰回り部分に縫着され、
前記収納口は、着用時において上方に向かって、又は、前記パンツ本体の内方に向かって露出するように形成され、
前記収納袋は、着用時における内面が前記パンツ本体収納時に外面を構成する、パンツ。
【請求項２】
前記収納袋は、ストレッチ素材を利用して縫製されている、請求項１に記載のパンツ。
【請求項３】
前記パンツ本体は、前記収納袋と同じ前記ストレッチ素材を利用して縫製されている、請求項２に記載のパンツ。
【請求項４】
前記閉口部材は、その上縁部分と側縁部分の上端とが前記腰回り部分に縫着されるフラップである、請求項１乃至３のいずれか１項に記載のパンツ。
【請求項５】
前記閉口部材は、前記収納口に設けられた互いに噛み合う一対のファスナーエレメントと、前記一対のファスナーエレメントを噛み合わせることが可能なスライダーとを有する、請求項１乃至３のいずれか１項に記載のパンツ。
【請求項６】
前記収納袋は、前記パンツ本体の後側に縫着されており、上下寸法よりも左右寸法が大きい略長方形状である、請求項１乃至５のいずれか１項に記載のパンツ。
【請求項７】
前記収納袋の左右寸法は、前記腰回り部分の左右寸法の略半分の大きさである、請求項１乃至６のいずれか１項に記載のパンツ。
【考案の詳細な説明】
【技術分野】
【０００１】
本考案は、パンツに関し、特に、パンツ本体をまとめるための収納袋を備えるパンツに関する。
【背景技術】
【０００２】
近頃、旅行等の外出の際に、コンパクトにまとめることができ、持ち運びに便利な衣服が求められている。特許文献１には、パンツ本体をまとめるための収納袋を備えたパンツが提案されている。ここで、特許文献１に開示されたパンツは、パンツ本体の内側に収納部を備えている。そして、着用状態における収納部の後面側に収納口が形成されており、収納部をパンツ本体の外側に折り返した状態で、当該収納口を介して、折り畳んだパンツ本体を収納部に収納するように構成されている。
【先行技術文献】
【特許文献】
【０００３】
【特許文献１】意匠登録第１３２３９３４号公報
【考案の概要】
【考案が解決しようとする課題】
【０００４】
しかしながら、特許文献１に開示されたパンツでは、収納部にはパンツ本体の一部のみが収納されているに過ぎず、このような収納状態で旅行バッグ等に当該パンツを収容しても、その収容スペースを占める割合が大きいという課題があった。また、パンツ本体の一部を収納部に収納しても、当該収納部の収納口が閉じられていないため、収納したはずのパンツ本体の一部が持ち運び中に収納口からはみ出て、他の収容物によってその一部が傷つき、又は汚れる可能性がある。
【０００５】
そこで本考案は、収納袋にパンツ本体をコンパクトにまとめることができ、持ち運びに好適なパンツを提供することを目的としている。
【課題を解決するための手段】
【０００６】
本考案の一形態に係るパンツは、着用者の両足をそれぞれ別々に包むパンツ本体と、収納口を有し、折り畳んだ前記パンツ本体の全体が前記収納口を介して収納可能な収納袋と、前記パンツ本体の収納時に前記収納口を閉口する閉口部材とを備え、前記収納袋は、その上縁部分が前記パンツ本体内側の腰回り部分に縫着され、前記収納口は、着用時において上方に向かって、又は、前記パンツ本体の内方に向かって露出するように形成され、前記収納袋は、着用時における内面が前記パンツ本体収納時に外面を構成する。
【０００７】
前記構成によれば、パンツ本体の腰回り部分に縫着された収納袋において、その収納口を介して、着用時における収納袋の内面を外側に引き出し、パンツ本体の収納時には当該内面が外面を構成するようにした状態で、パンツ本体の全体を折り畳んで収納袋に収納するため、パンツをコンパクトにまとめることができる。
【０００８】
また、折り畳んだパンツ本体を収納袋に収納した状態で、閉口部材により収納口が閉口することが可能となり、収納したパンツ本体の一部が持ち運び中に収納口を介して、収納袋からはみ出るのを防ぐことができる。したがって、パンツ本体をコンパクトにまとめることができ、持ち運びに好適なパンツを提供することができる。
【０００９】
前記形態において、前記収納袋は、ストレッチ素材を利用して縫製されていてもよい。
【００１０】
前記構成によれば、収納袋が伸縮性の高いストレッチ素材を利用して縫製されていることによって、折り畳むことで厚みが増したパンツ本体でも収納袋を伸ばすことで、収納口を広げて、当該パンツ本体を収納し易くすることができるので、作業性を向上することができる。
【００１１】
前記形態において、前記パンツ本体は、前記収納袋と同じ前記ストレッチ素材を利用して縫製されていてもよい。
【００１２】
前記構成によれば、パンツ本体も収納袋と同様に伸縮性の高いストレッチ素材を利用して縫製されていることによって、収納袋のみが伸縮性の高いストレッチ素材である構成と比較して、着用時に収納袋のみが伸縮して、着用者に対して穿き心地の違和感を与えるのを防止することができる。
【００１３】
前記形態において、前記閉口部材は、前記収納口と重なるように、その上縁部分と側縁部分の上端とが前記腰回り部分に縫着されるフラップであってもよい。
【００１４】
前記構成によれば、折り畳んだパンツ本体を収納袋に収納した状態で、フラップにより収納口が閉口されることで、持ち運び中にパンツ本体の一部が収納口を介して、収納袋からはみ出るのを防ぐことができる。
【００１５】
前記形態において、前記閉口部材は、前記収納口に設けられた互いに噛み合う一対のファスナーエレメントと、着用状態で前記腰回り部分に沿ってスライドさせることで、前記一対のファスナーエレメントを噛み合わせることが可能なスライダーとを有していてもよい。
【００１６】
前記構成によれば、折り畳んだパンツ本体を収納袋に収納した状態で、スライダーをスライドさせ、一対のファスナーエレメントを噛み合わせて、収納口を閉じることによって、持ち運び中にパンツ本体の一部が収納口を介して、収納口からはみ出るのを防ぐことができる。
【００１７】
前記形態において、前記収納袋は、前記パンツ本体の後側に縫着されており、上下寸法よりも左右寸法が大きい略長方形状であってもよい。
【００１８】
前記構成によれば、収納袋が腰回り部分のうち後側に縫着される場合に、左右寸法よりも上下寸法が大きい構成と比べて、着用者に対して穿き心地の違和感を与えるのを軽減することができる。
【００１９】
前記形態において、前記収納袋の左右寸法は、前記腰回り部分の左右寸法の略半分の大きさであってもよい。
【００２０】
前記構成によれば、折り畳んだパンツ本体を収納袋に対して収納し易くなり、作業性を向上することができる。
【考案の効果】
【００２１】
本考案によれば、パンツ本体をコンパクトに折り畳むことができ、持ち運びに好適なパンツを提供することができる。
【図面の簡単な説明】
【００２２】
【図１】図１は、第１実施形態に係るパンツの正面図である。
【図２】図２（ａ）は、図１のパンツにおける収納袋周辺の拡大図である。図２（ｂ）は、図２（ａ）の収納袋からフラップを引き出し、収納袋の上方に折り返した状態の図である。
【図３】図３は、図１のパンツ本体を収納袋に収納する様子を示した図である。
【図４】図４は、第２実施形態に係るパンツの図２（ａ）相当の図である。
【図５】図５は、図４のパンツ本体を収納袋に収納する様子を示した図である。
【図６】図６は、第３実施形態に係るパンツの図２（ａ）相当の図である。
【考案を実施するための形態】
【００２３】
以下、図面を参照しながら実施形態について説明する。なお、同一の又は対応する要素には全ての図を通じて同一の符号を付して重複する詳細説明を省略する。以下の説明では、便宜上、パンツ１の着用時に、着用者の腰回り側となる方を「上」側、着用者の足側（パンツ１の裾側）を「下」側とする。また、紙面左右方向を左右方向、紙面厚み方向を前後方向として説明する。
【００２４】
（第１実施形態）
図１は、第１実施形態に係るパンツ１の正面図である。図１に示すように、パンツ１は、パンツ本体２を備えている。パンツ本体２は、左右の前身頃２ａと、当該前身頃２ａに縫合される左右の後ろ身頃２ｂとを有しており、着用者の両足をそれぞれ別々に包む。本実施形態のパンツ１は、着用者の両足を全て覆う、いわゆる長ズボンである。なお、パンツ１は長ズボンに限らず、例えば、着用者の両足の膝部分までを覆う、いわゆる半ズボン等であってもよい。
【００２５】
パンツ本体２の身生地は、縦方向、横方向いずれにも伸縮可能なストレッチ素材である。ストレッチ素材としては、例えば、綿またはウールなどの天然繊維、レーヨンなどの再生繊維、アクリル系繊維またはポリエステル系繊維などの合成繊維などにポリウレタン弾性繊維を混合した素材が利用されている。即ち、パンツ１は、ストレッチ素材を利用して縫製された、ストレッチパンツである。
【００２６】
また、パンツ本体２において、これを着用した時に着用者の腰回りに対応する腰回り部分２ｃの内部に、ゴムベルト３が縫着されている。ゴムベルト３は、その両端を繋ぎ合わせて環状に形成されている。また、パンツ本体２の腰回り部分２ｃの内側で、かつ、パンツ本体２の後側（後ろ身頃２ｂ）には、収納袋４が設けられている。
【００２７】
図２（ａ）は、図１のパンツ１における収納袋４周辺の拡大図である。図２（ａ）に示すように、収納袋４は、パンツ本体２の腰回り部分２ｃに縫着されている。収納袋４は、１枚の布地を折り畳み、当該袋地を縫製線Ｌ１に沿って縫製することで形成されている。そして、収納袋４の後面の上縁部分４ａが、パンツ本体２内側の腰回り部分２ｃにおいて、縫製線Ｌ１に沿って縫着されており、収納袋４は、着用者のヒップ部分と前後方向に対向する位置に設けられている。収納袋４は、ゴムベルト３をパンツ本体２の腰回り部分に縫着する際に、当該ゴムベルト３と共に縫着される。
【００２８】
収納袋４は、上下寸法よりも左右寸法が長い略長方形状である。ここで、収納袋４の左右寸法Ｗ１は、パンツ本体２の腰回り部分２ｃの左右寸法Ｗ２に対して略半分の大きさである（図１参照）。また、収納袋４は、パンツ本体２と同じストレッチ素材を利用して縫製されている。
【００２９】
収納袋４の前面の上縁付近には、収納口４ｃが設けられている。収納口４ｃは、着用時において、上方に向かって露出するように形成されている。着用者は、パンツ１を着用時、収納口４ｃを介して収納袋４の収納空間に自身の所有品を収納することが可能である。また、収納袋４は、収納口４ｃを介して、パンツ本体２の全体を折り畳んで収納可能である。パンツ本体２を収納袋４に収納する詳細な構成については、後述する。
【００３０】
また、パンツ１には、フラップ５が、平面視で、収納口４ｃと重なるように、パンツ本体２の腰回り部分２ｃの内側に設けられている。具体的には、フラップ５は、前後方向において、収納袋４の後面よりも前方に配置されている。本実施形態では、フラップ５は、パンツ本体２及び収納袋４と同じストレッチ素材を利用して縫製されている。また、フラップ５は、収納袋４と同じく上下寸法よりも左右寸法が長い略長方形状である。フラップ５の下端は、収納袋４の下端付近まで延びており、フラップ５の上下寸法は収納袋４の上下寸法よりも小さい。また、フラップ５の左右寸法も収納袋４の左右寸法よりも小さい。
【００３１】
フラップ５は、ゴムベルト３及び収納袋４をそれぞれパンツ本体２の腰回り部分２ｃに縫着する際に共に、縫着されている。フラップ５の上縁部分５ａは、左右方向に延びる縫製線Ｌ２に沿って、パンツ本体２の腰回り部分２ｃに縫着されている。そして、フラップ５の左右の側縁部分５ｂの各上端が、上下方向に延びる縫製線Ｌ３に沿って、腰回り部分２ｃに縫着されている。このように、フラップ５の上端部分がパンツ本体２の腰回り部分２ｃに縫着されている。これにより、フラップ５は、収納口４ｃを介して収納袋４の収納空間に対して出し入れ可能となっている。パンツ１が着用されているとき、フラップ５は収納袋４の収納空間に収納されており、外部からは視認できない。
【００３２】
図２（ｂ）は、図２（ａ）の収納袋４からフラップ５を引き出し、収納袋４の上方へ折り返した状態の図である。図２（ｂ）に示すように、また、収納袋４の左右方向略中央で収納口４ｃの下方には、略長方形状の面ファスナー６が縫着されている。面ファスナー６は、収納袋４の内面４ｉに設けられている。また、フラップ５の左右方向略中央において、その下端付近には、略長方形状で、パンツ本体２を収納袋４に収納した際に面ファスナー６と接合可能な面ファスナー７が縫着されている。
【００３３】
図３は、図１のパンツ本体２を収納袋４に収納する様子を示した図である。以下では、パンツ本体２の全体を収納袋４に収納する手順について説明する。まず、収納袋４をパンツ本体２との逢着部分を基点に上方へ折り返した状態で、収納袋４の左右方向両端を通り、上下方向に延びる仮想線を折り目線として、パンツ本体２を収納袋４の左右方向中央側に向かって折り畳む（図３（ａ）参照）。このとき、フラップ５は、収納袋４の収納空間から外部へと引き出されて、収納袋４と同じく上方へと折り返されている。具体的には、フラップ５は、前後方向において、収納袋４よりも後方で、当該収納袋４によって覆われるように配置されている。そして、パンツ本体２をその裾側から、収納袋４に向かって上方に折り畳む（図３（ｂ）参照）。
【００３４】
その後、収納口４ｃを介して着用時における収納袋４の内面４ｉを外側に引き出した状態で、折り畳んだパンツ本体２を収納袋４へと収納する（図３（ｃ）参照）。このように、パンツ本体２の収納時には、着用時の収納袋４の内面４ｉが外面を構成し、着用時の収納袋４の外面４ｏが内面を構成している。収納袋４にパンツ本体２の全体を収納した後、フラップ５に縫着された面ファスナー７を収納袋４の面ファスナー６に接合することで（図３（ｄ）参照）、収納口４ｃを閉口する（図３（ｅ）参照）。このように、フラップ５は、パンツ本体２の全体を収納袋４に収納した際に、収納口４ｃを閉口する閉口部材である。なお、パンツ本体２の収納時に、収納袋４とフラップ５とは、面ファスナー６，７を用いて接合されていたが、これに限られず、例えば、ボタン等を用いて接合されてもよい。
【００３５】
以上のように構成されたパンツ１は、以下の効果を奏する。
【００３６】
パンツ本体２の腰回り部分２ｃの内側に縫着された収納袋４において、その収納口４ｃを介して、着用時における収納袋４の内面４ｉを外側に引き出し、パンツ本体２の収納時には外面を構成するようにした状態で、パンツ本体２の全体を折り畳んで収納袋４に収納するため、パンツ１をコンパクトにまとめることができる。
【００３７】
収納口が着用時における収納袋の後面側に形成された構成では、当該収納口が着用時において露出していない。この構成において、フラップの上縁部分をパンツ本体の腰回り部分に縫着し、収納口を介して収納袋の収納空間に対して出し入れ可能にしても、パンツ本体を収納袋に収納するために、収納袋をパンツ本体の外側に折り返すと、パンツ本体を収納袋に向かって折り畳んでいく途中に、フラップが配置されている。そのため、折り畳んだパンツ本体と共にフラップも収納袋に収納されてしまい、当該フラップによって収納口を閉口することができなかった。
【００３８】
しかし、本実施形態では、収納口４ｃは、着用時における収納袋４の前面側に形成され、当該収納口４ｃを介して収納袋４の収納空間に対して出し入れ可能にフラップ５が腰回り部分２ｃに縫着されている。そして、パンツ本体２を収納袋４に収納するために、着用時における収納袋４の内面４ｉが外面を構成するように収納袋４をパンツ本体２の外側に折り返すと、前後方向において、当該収納袋４よりも後方に配置されており、パンツ本体２を収納袋４に向かって折り畳んでいく途中に、フラップ５が配置されていない。これにより、折り畳んだパンツ本体２を収納袋４に収納した状態で、フラップ５により収納口４ｃが閉口することが可能となり、持ち運び中にパンツ本体２の一部が収納口４ｃを介して、収納袋４からはみ出るのを防ぐことができる。
【００３９】
また、収納袋４は、伸縮性の高いストレッチ素材を利用して縫製されていることによって、折り畳むことで厚みが増したパンツ本体２でも、収納袋４を伸ばすことで、収納口４ｃを広げて、当該パンツ本体２を収納し易くすることができるので、作業性を向上することができる。
【００４０】
また、パンツ本体２は、収納袋４と同じストレッチ素材を利用して縫製されていることにより、パンツ本体がストレッチ素材を利用して縫製されていない構成と比較して、着用時に収縮袋のみが伸縮して、着用者に対して穿き心地の違和感を与えるのを防止することができる。
【００４１】
また、収納袋４は、パンツ本体２の腰回り部分２ｃの後側に縫着され、上下寸法よりも左右寸法が大きい略長方形状である。これにより、収納袋４がパンツ本体２の後側（後ろ身頃２ｃ）に縫着される場合に、左右寸法よりも上下寸法が大きい構成と比べて、着用者に対して穿き心地の違和感を与えるのを軽減することができる。
【００４２】
また、収納袋４の左右寸法Ｗ１は、パンツ本体２の腰回り部分２ｃの左右寸法Ｗ２の略半分の大きさである。これにより、収納袋４の左右方向両端を通り、上下方向に延びる仮想線を折り目線として左右方向中央側に折り畳んだパンツ本体２の左右寸法が、収納袋４の左右寸法Ｗ１と略等しくなるので、当該収納袋４に対して収納し易くなり、作業性を向上することができる。
【００４３】
（第２実施形態）
第２実施形態に係るパンツ１０は、第１実施形態に係る閉口部材５を一部変形したものである。以下では、第２実施形態に係るパンツ１０について、第１実施形態と異なる点について説明する。
【００４４】
図４は、第２実施形態に係るパンツ１０の図２（ａ）相当の図である。図４に示すように、パンツ１０の収納袋４０において、その前面側に収納口４０ｃが形成されている。収納口４０ｃは、着用時において、パンツ本体２の内方に向かって露出するように形成されている。収納口４０ｃには、互いに噛み合う一対のファスナーエレメント５１が設けられている。一対のファスナーエレメント５１は、パンツ１の着用時には、スライダー５２をスライドさせることで、噛み合わせられる。スライダー５２には、引き手５３が連結されている。例えば、着用者は、パンツ１を着用している状態で、引き手５３を把持し、腰回り部分２ｃに沿ってスライダー５２をスライドさせることで、収納口４０ｃを開閉することができる。
【００４５】
また、本実施形態では、スライダー５２は、一対のファスナーエレメント５１を噛み合わせる瓢箪状の本体部５２ａと、当該本体部５２ａに接合されたレール部５２ｂとを有している。レール部５２ｂは、本体部５２ａの表面側（収納袋４の外面側）から本体部５２ａの裏面側（収納袋４の内面側）に延びる略Ｕ字状である。引き手５３は、略Ｕ字状のレール部５２ｂに連結されているため、収納袋４０の外面側及び内面側それぞれに移動可能である。したがって、収納口４０ｃは、収納袋４０の外面側及び内面側いずれからも閉口することができる。即ち、本実施形態のファスナーエレメント５１及びスライダー５２は、いわゆるリバーシブル式のファスナーを構成している。
【００４６】
図５は、図４のパンツ本体２を収納袋４０に収納する様子を示した図である。以下では、パンツ本体２の全体を収納袋４０に収納する手順について説明する。図５に示すように、まず、収納袋４０をパンツ本体２との逢着部分を基点に上方へ折り返した状態で、収納袋４０の左右方向両端を通り、上下方向に延びる仮想線を折り目線として、パンツ本体２を収納袋４０の左右方向中央側に向かって折り畳む（図５（ａ）参照）。このとき、スライダー５２は、ファスナーエレメント５１の噛み合いを解除し、収納口４０ｃを開口する方向にスライドされている。そして、パンツ本体２をその裾側から、収納袋４０に向かって上方へと折り畳む（図５（ｂ）参照）。
【００４７】
その後、ファスナーエレメント５１の噛み合いが解除された収納口４０ｃを介して、着用時における収納袋４０の内面４０ｉを外側に引き出した状態で、折り畳んだパンツ本体２を収納袋４０へと収納する（図５（ｃ）参照）。収納袋４０にパンツ本体２の全体を収納した後、スライダー５２のレール部５２ｂに連結された引き手５３を着用時における収納袋４の内面側（パンツ本体２の収納時の外面側）に移動させて、一対のファスナーエレメント５１が互いに噛み合うようにスライダー５２をスライドさせることで、収納口４０ｃを閉口する（図５（ｄ）参照）。このように、ファスナーエレメント５１及びスライダー５２は、パンツ本体２の全体を収納袋４に収納した際に、収納口４０ｃを閉口する閉口部材である。これ以外の点は第１実施形態と同様である。
【００４８】
このような第２実施形態においても、パンツ本体２の全体が収納袋４０に収納されるので、上記実施形態と同様の効果が得られる。
【００４９】
また、収納口が着用時における収納袋の後面側に形成された構成では、当該収納口が着用時に露出していない。この構成において、収納口をファスナーにより開閉可能としたとしても、パンツ本体を収納袋に収納するために、収納袋を単にパンツ本体の外側に折り返した状態では、パンツ本体を折り畳んだ際にファスナーのファスナーエレメントが設けられた部分も折り畳まれてしまい、ファスナーにより収納口を閉口することができなかった。
【００５０】
しかし、第２実施形態において、収納口４０ｃは、着用時における収納袋４の前面側に形成され、当該収納口４０ｃにファスナーエレメント５１が設けられ、ファスナーエレメント５１がスライダー５２により噛み合わせられる。そして、パンツ本体２を収納袋４に収納する際に、着用時における収納袋４０の内面４０ｉが外面を構成するように収納袋４をパンツ本体２の外側に折り返すと、パンツ本体２を折り畳んでもファスナーエレメント５１が設けられた部分は折り畳まれない。これにより、折り畳んだパンツ本体２を収納袋４に収納した状態で、スライダー５２により一対のファスナーエレメント５１を噛み合わせて、収納口４０ｃを閉口することができる。よって、持ち運び中にパンツ本体２の一部が収納口４０ｃを介して、収納袋４０からはみ出るのを防ぐことができる。
【００５１】
（第３実施形態）
第３実施形態に係るパンツ１００は、第１実施形態に係る閉口部材５を一部変形したものである。以下では、第３実施形態に係るパンツ１００について、第１実施形態と異なる点について説明する。
【００５２】
図６は、第３実施形態に係るパンツ１００の図２（ａ）相当の図である。図６に示すように、パンツ１００において、収納袋４００の収納口４００ｃは、着用時において、上方に向かって露出するように形成されている。また、パンツ１００には、フラップ５００がパンツ本体２の腰回り部分２ｃの内側に設けられている。フラップ５００は、その上縁部分５００ａが、縫製線Ｌ２に沿って、パンツ本体２の腰回り部分２ｃに縫着されている。また、フラップ５００は、その下端が収納口４００ｃのやや下方まで延びている点で、下端が収納袋４の下端付近まで延びる第１実施形態のフラップ５とは異なる。パンツ１が着用されているとき、フラップ５００の下縁部分５００ｃは収納袋４００の収納空間に収納されており、外部からは視認できない。
【００５３】
パンツ本体２を収納袋４００に収納する際、フラップ５００は、腰回り部分２ｃとの縫着部分を基点に上方に折り返された状態で、当該パンツ本体２の全体が収納袋４００に収納される。パンツ本体２を収納袋４００に収納した後、その下縁部分５００ｃが外部から視認できるように、フラップ５００が収納口４００ｃを覆う。このように、フラップ５００は、パンツ本体２の全体を収納袋４００に収納した際に、収納口４００ｃを閉口する閉口部材である。これ以外の点は第１実施形態と同様である。
【００５４】
このような第３実施形態においても、パンツ本体２の全体が収納袋４００に収納されるので、上記実施形態と同様の効果が得られる。また、折り畳んだパンツ本体２を収納袋４００に収納した状態で、フラップ５００が収納口４００ｃを覆い、閉口することによって、持ち運び中にパンツ本体２の一部が収納口４００ｃを介して、収納袋４００からはみ出るのを防ぐことができる。
【００５５】
なお、本発明は前述した実施形態に限定されるものではなく、本発明の趣旨を逸脱しない範囲でその構成を変更、追加又は削除することができる。前述の実施形態では、フラップ５，５００は、その上縁部分５ａ，５００ａ及び側縁部分の上端５ｂ，５００ｂがパンツ本体２の腰回り部分２ｃに縫着されていたが、上縁部分５ａ，５００ａのみが縫着されていてもよい。また、前述の実施形態では、ファスナーエレメント５１及びスライダー５２は、リバーシブル式のファスナーを構成して、着用時における収納袋４の外面側及び内面側に引き手５３がそれぞれ移動可能であったが、引き手５３は着用時における収納袋４の外面側又は内面側の一方において、移動可能であってもよい。また、パンツ本体２を収納袋４，４０，４００に収納する際の手順は、適宜変更してもよい。例えば、図３（ａ）及び図５（ａ）の段階において、パンツ本体２を左右方向中央側に向かって折り畳む際に、外側に折り返した収納袋４，４００において、着用時における収納袋４，４０の内面４ｉ，４０ｉを収納口４ｃ，４０ｃを介して外側に引き出して、外面を構成していてもよい。
【符号の説明】
【００５６】
１，１０，１００  パンツ
２  パンツ本体
２ｃ  腰回り部分
４，４０，４００  収納袋
４ａ  上縁部分
４ｃ，４０ｃ，４００ｃ  収納口
４ｉ，４０ｉ  内面
５，５００  フラップ（閉口部材）
５０  閉口部材
５１  ファスナーエレメント
５２  スライダー
【図１】
0003198168.tif 000003
【図２】
0003198168.tif 000004
【図３】
0003198168.tif 000005
【図４】
0003198168.tif 000006
【図５】
0003198168.tif 000007
【図６】
0003198168.tif 000008